(57)【特許請求の範囲】
【請求項１】
通信信号のマルチパス成分に対応したオフセット量を割り当てられた複数のフィンガを有する受信機を用いてアンテナからの通信信号を受信する通信信号の受信方法において、
前記複数のフィンガのうち少なくとも２個のフィンガが同じマルチパス成分を追跡しないように、当該少なくとも２個のフィンガのオフセット量の間のオフセット量差を所定のオフセット量差値以上に維持することにより、当該少なくとも２個のフィンガのオーバラップの発生を防止するステップを含む
ことを特徴とする通信信号の受信方法。
【請求項２】
前記維持ステップは、
ＰＮコードオフセット量を前記オフセット量として用いるステップを含む
ことを特徴とする請求項１記載の方法。
【請求項３】
前記複数の受信機フィンガを有する受信機は、ＣＤＭＡ  ＲＡＫＥ受信機である
ことを特徴とする請求項１記載の方法。
【請求項４】
アンテナからの信号のマルチパス成分に対応するオフセット量を割り当てられた複数の受信機フィンガを有する受信機を制御する方法において、
オフセット量差を設定するステップと、
弱い信号成分を受信する第１受信機フィンガのオフセット量と、強い信号成分を受信する第２受信機フィンガのオフセット量との間のオフセット量差を、前記第１受信機フィンガと前記第２受信機フィンガが同じマルチパス成分を追跡しないように、所定のオフセット量差以上に維持することにより、当該第１と第２受信機フィンガのオーバラップの発生を防止するステップ
を含むことを特徴とする受信機を制御する方法。
【請求項５】
ＰＮコードオフセット量を前記オフセット量として用いるステップを含むことを特徴とする請求項４記載の方法。
【請求項６】
前記複数の受信機フィンガを有する受信機は、ＣＤＭＡ  ＲＡＫＥ受信機である
ことを特徴とする請求項４記載の方法。
【請求項７】
アンテナからの信号のマルチパス成分に対応するオフセット量を割り当てられた複数の受信機フィンガを有する受信機において、
前記複数の受信機フィンガのうちの少なくとも２個のフィンガのオフセット量の間のオフセット量差を、所定のオフセット量差値以上に維持することにより、当該少なくとも２個のフィンガのオーバラップの発生を防止して、当該少なくとも２個のフィンガが同じマルチパス成分を追跡しないように、維持することを特徴とする受信機。
【請求項８】
前記受信機は、ＰＮコードオフセット量を前記オフセット量として用いる
ことを特徴とする請求項７記載の受信機。
【請求項９】
前記受信機は、ＣＤＭＡ  ＲＡＫＥ受信機である
ことを特徴とする請求項７記載の受信機。
【発明の詳細な説明】
【０００１】
【発明の属する技術分野】
本発明は、移動体通信システムに関し、特に複数のフィンガ受信機の受信機フィンガに複数の成分に対応するよう異なるオフセット量（遅延量）を割り当てるシステムに関する。
【０００２】
【従来の技術】
移動体通信システムは、有線で接続されたサイト（line-of-site）としてモデル化できない。そのために、移動局と基地局との間およびそれらの間に存在する多くの物体との間で信号の散乱と反射の結果発生する数多くの独立したパスを考慮しなければならない。この信号の散乱と反射は、様々な量の遅延量と位相シフト量と減衰量を有し、受信局に到着する数多くの異なる伝送信号のコピー（マルチパス信号）を生成してしまう。
【０００３】
その結果基地局から発信されて移動局に到達した信号（および移動局から発信されて基地局に到達した信号）は、別々のパスを介して伝播してきた複数の信号の合算で構成される。これらの信号パスの長さは、等しくないために無線リンクを介して搬送される情報は、基地局と移動局との間を伝播するにつれて遅延が拡散することになる。伝送された信号で、あるレベル以上の信号強度を有する最も早く到着したコピーと、最も遅く到着したコピーとの間の時間分散量は遅延拡散と称する。
【０００４】
この遅延拡散によりシンボル間干渉（intersymbol interference−ＩＳＩ）が引き起こされる。遅延拡散に加えて同一のマルチパス環境により受信用アンテナでマルチパス信号が合成的におよび減算的に加算されると、受信信号強度における厳しい局部的変動が引き起こされる。マルチパス成分は、ほぼ同一の遅延量で受信機に到達したマルチパス信号の合成である。このマルチパス成分の振幅の変動は、一般的にレーレイフェージング（Rayleigh fading） と称し、これにより大きな信号のブロックが喪失する原因となる。
【０００５】
マルチパスフェージングに耐えることが、ワイアレス通信用にスペクトラム拡散システムを用いる理由である。スペクトラム拡散信号は疑似ランダムであり、デジタル情報データと比較すると疑似ノイズの特性を有する。あるスペクトラム拡散システム、例えば符号分割多重アクセス（ＣＤＭＡ）システムは、ベースバンドデータパルスと疑似ノイズ（pseudo-noise−ＰＮ）コードとを直接乗算することによりベースバンドデータを拡散している。このＰＮコードは、ランダムに現れるが、特定の受信局により再生可能な二進シーケンスである。
【０００６】
このＰＮコードは、データパルスレートよりもはるかに高いパルスレートを有し、このＰＮコードの１個のパルスをチップと称する。スペクトラム拡散信号は、ＰＮコードを局部的に再生したバージョンと相互相関をとることにより受信局で部分的に復調される。正確なＰＮコードとの相互相関により、スペクトラム拡散信号を脱拡散し、この変調されたメッセージを元のデータの狭いバンドに再生する。一方、特定のＰＮコードで送信されていると予定していないユーザからの信号と特定のＰＮコードとで相互相関をとるとこれは小量のノイズとなる。
【０００７】
スペクトラム拡散信号は、広いバンド幅に亘って拡散するためにスペクトラムのわずかな部分のみがある時間にフェージングを受けるだけである。スペクトラム拡散システムのマルチパスフェージングに対する耐性は、伝送された信号の遅延バージョンは、元のＰＮコードと通常相関性を有さず、別の相関性のないユーザからのノイズと見なすことができるという事実で説明できる。
【０００８】
しかし、ＣＤＭＡシステムのようなスペクトラム拡散システムは、送信された信号の遅延バージョンを利用することができる。スペクトラム拡散システムは、複数の分解可能なマルチパス成分から得られた情報を組み合わせることにより、マルチパス環境を活かす。ＣＤＭＡシステムにおいては、マルチパスの影響は、複数のブランチ（ＲＡＫＥ）受信機を用いることにより逆に利用されている。
【０００９】
図１は、４本のフィンガ１２ａ−ｄを有するＲＡＫＥ受信機１０を示す。このＲＡＫＥ受信機１０は、カリフォルニア州サンディエゴにあるクエルコム社により提供されている、ＣＤＭＡセルサイトモデムＡＳＩＣを用いて、およびそれを制御して実現されている。ＲＡＫＥ受信機１０は、並列に配置された復調器即ちフィンガ１２ａ−ｄを与えることにより元の信号の遅延したバージョン即ちオフセットバージョンを収集している。
【００１０】
各復調器であるフィンガ１２ａ−ｄは、アンテナ１４からの信号のマルチパス成分に対応する異なる遅延量（即ちオフセット量、以下両方の用語は同一の意味に使用する）を用いている。まず処理回路１８はマルチパス成分に対応する遅延量（即ちオフセット量）を各復調器（フィンガ）１２ａ−ｄに割り当てる。その後追跡ループ２０ａ−ｄが、復調器１２ａ−ｄ用に割り当てられた遅延量（即ちオフセット量）に調整する。
【００１１】
現在用いられているＣＤＭＡＲＡＫＥ受信機においては、フィンガ追跡ループは、復調器１２ａ−ｄに割り当てられたオフセット量に対し、１／８ＰＮチップの調整を行う。サーチャ回路１９は、オフセット量の範囲内で最強のマルチパス成分を見いだすようサーチを実行する。サーチャ回路１９から得られた結果を初期のフィンガ割り当ておよび／またはフィンガ１２ａ−ｄがディスエーブルになった後フィンガを再割り当てするために用いられる。
【００１２】
コンバイナ２２は、復調器１２ａ−ｄからの出力を組み合わせ、この組み合わされた信号をＲＡＫＥ受信機１０の残りの回路部分に出力する。ＲＡＫＥ受信機１０は上記した以外の他の機能も有する。例えば、この結合された信号を後で復号化することである。さらにまたアンテナ１４で受信した信号は、上述したように復調されさらに処理される。例えば基地局は、非コヒーレントな復調を通常利用するが、移動局は通常コヒーレントな復調を利用している。
【００１３】
復調器１２ａ−ｄは来入信号をＰＮコードと復調器１２ａ−ｄに割り当てられた遅延量とを用いて脱拡散する。かくして復調器１２ａ−ｄは、元の信号のマルチパス成分を抽出する。並列に配置された復調器１２ａ−ｄを使用することにより、あるユーザに対し受信信号の信号対ノイズ比（ＳＮＲ）を改善し、統計的かつパワーダイバシティのゲインを与える。その理由は、非相関マルチパス成分は、独立して減衰するからである。
【００１４】
理想的にはマルチパス成分は、互いに１ＰＮチップ（ＩＳ−９５ＣＤＭＡにおいては、約０．８１３８マイクロ秒）以上離れている時には相関関係にない。ＲＡＫＥ受信機１０の復調器１２ａ−ｄに対するフィンガ追跡ループは、割り当てられたフィンガ遅延量が追跡中のマルチパス成分用の最強のフィンガエネルギを生成する遅延量と同期するよう設計されている。
【００１５】
一般的に、アーリレイト（early-late）ゲート追跡メカニズムは、早期推定（少ない遅延量）と遅期推定（より多い遅延量）との間のフィンガエネルギの差に基づいて割り当てられた遅延量を調整する。かくして各追跡ループ２０ａ−ｄは、ＰＮコードと受信した拡散信号との間の相関の局部的最大値の方向にそのファンガ１２ａ−ｄの遅延量を調整する。
【００１６】
特定のオフセット量を有するフィンガである１２ａ−ｄのマルチパス成分は、オフセット量差が１ＰＮチップ未満を有する別のフィンガである１２ａ−ｄのマルチパス成分と部分的に相関をとる。このマルチパス成分間の部分的相関に起因してフィンガ１２ａ−ｄは、同一のマルチパス成分の追跡を終了することができる。
【００１７】
アーリ−／レイトゲート追跡メカニズムを用いているために追跡機２０は、オフセット量差が１ＰＮチップを超えるマルチパス成分により潜在的に影響を受ける。例えば、追跡機２０が±１／４チップアーリ／レイト相関推定を用いる場合には、追跡機２０ａ−ｄは（１＋１／４）チップ分離れたマルチパス成分により潜在的に影響を受ける。かくして１ＰＮチップを超えるオフセット量即ち遅延量に割り当てられた復調器１２ａ−ｄでさえも同一のマルチパス成分の追跡を終了する。
【００１８】
説明を容易にするために、図２Ａ−Ｃは２つのマルチパス成分ＡとＢを含むいくつかの単純化した状況に対するＰＮチップオフセット量に基づいたフィンガ強度を表す。図２Ａは、ＰＮ脱拡散コードと２つの差分遅延量ｄだけ分離したフェージングしていないマルチパス成分ＡとＢに対する受信信号との間の相関を表す。図２Ｂは、フェージングしたマルチパス成分Ｂとフェージングしていないマルチパス成分Ａとを表す。図２Ｃは、フェージングしたマルチパス成分Ａとフェージングしていないマルチパス成分Ｂとを表す。
【００１９】
かくしてマルチパス成分ＡとＢは、相関関係がなく（即ち１ＰＮチップを超えるオフセット量で分離している）、かつあるフィンガ１２がフェージングしたマルチパス成分を追跡している場合には、別のフィンガ１２は、フェージングしていないマルチパス成分を追跡しており、これによりデータが失われることはない。したがって、並列に配置された復調器１２ａ，１２ｂは、ＲＡＫＥ受信機１０に対するマルチパスダイバシティゲインと平均ＳＮＲを増加させる。
【００２０】
互いに１ＰＮチップ（ＩＳ−９５ＣＤＭＡにおいては、０．８１３８マイクロ秒）以内の遅延量を有するマルチパス成分が一般的であり、このため二重のフィンガ割り当てが行われ、ＲＡＫＥ受信機１０に対するＳＮＲと、マルチパスダイバシティゲインを劣化させる。実際には１ＰＮチップを超える遅延量を有する上記のマルチパス成分でも二重のフィンガ割り当てに至ることがある。
【００２１】
実際には、ＲＡＫＥ受信機１０は低遅延拡散環境においては、ある時点でアンテナあたり複数のユニークなマルチパス成分を常に分解することが困難となる。その理由は、フィンガ追跡ループ２０ａ−ｄの動作が原因である。図３Ａ−Ｃは、２種類の異なる解像度のマルチパス成分に割り当てられたフィンガ１２ａと１２ｂを単純に表したものである。フィンガ１２ａと１２ｂのＰＮオフセット量の差では小さく、例えば１ＰＮチップ未満（低遅延拡散環境）である。
【００２２】
図３Ａにおいては、フィンガ１２ａと１２ｂにより追跡されるマルチパス成分は、フェージングしておらず追跡ループ２０ａ，２０ｂは、フィンガ１２ａと１２ｂの割り当てを維持する。しかし図３Ｂにおいては、フィンガ１２ｂのマルチパス成分はフェージングしており、フィンガ１２ａの近接しているマルチパス成分はフェージングしていない。これに応じてフィンガ１２ｂの追跡ループ２０ｂは、マルチパス成分に対応する割り当てられたＰＮオフセット量をフィンガ１２ａに割り当てられたより強いマルチパス成分のオフセット量の方向に移動させる傾向がある。
【００２３】
同様に図３Ｃにおいては、フィンガ１２ａはフェージングするマルチパス成分を追跡しており、フィンガ１２ｂに割り当てられた近接のマルチパス成分はフェージングしていない。追跡機２０ａは、フィンガ１２ａに割り当てられたＰＮオフセット量をフィンガ１２ｂに割り当てられたより強い成分のＰＮオフセット量の方向に強制する。それ故に低遅延拡散環境においては、現在のシステムは二重のフィンガ割り当て（同一のマルチパス成分に対応して同一の割り当て遅延量を有する２本のフィンガ）を経験することになる。
【００２４】
この二重フィンガ割り当ては好ましくない、その理由は、この二重のフィンガ割り当ては独立にフェージングするマルチパス成分と同様に、マルチパスダイバシティゲインを与えることがなく、そのため平均ＳＮＲを改善することにはならないからである。現在のシステムにおいては、あるフィンガ１２ａ−ｄが他のフィンガ１２ａ−ｄの遅延量（即ちオフセット量）からある範囲内の遅延量の範囲内にある時には二重のフィンガの一方を単にディスエイブルすることにより、二重のフィンガ割り当てに対抗している。
【００２５】
この現在のシステムは、以前はフェージングしていたマルチパス成分である別の割り当てられていないマルチパス成分を探す。このマルチパス成分は再度発信され、二重のフィンガをそのマルチパス成分に再割り当てするものである。このディスエイブルしサーチし再割り当てするシステムは受信機の効率を低減させる。特に連続的にフェージングし再度現れるマルチパス成分の場合にあてはまる。
【００２６】
【発明が解決しようとする課題】
したがって本発明の目的は、二重のフィンガ割り当てに悪影響を及ぼさないような方法で、受信機フィンガをマルチパス成分に有効に割り当てるマルチプルフィンガ受信機を提供することである。
【００２７】
【課題を解決するための手段】
本発明のフィンガ割り当てシステムは、同一のマルチパス成分に受信機フィンガを割り当てることを阻止し、現在の割り当て方法の非効率性を回避するものである。本発明のフィンガ割り当てシステムは、いずれか２本のフィンガに割り当てられたオフセット量間のオフセット差を設定し、このオフセット量差が守られない場合には、少なくともオフセット量差だけ互いに異なるように一方あるいは両方のフィンガのオフセット量差を調整することにより達成する。
【００２８】
ある実施例においては、同一のアンテナから信号を受信しているいずれか２本のフィンガに割り当てられたオフセット量の間のオフセット量差を確立する。このオフセット量差が守られない場合には、本発明のフィンガ割り当てシステムは、少なくともこのオフセット量差だけより強いフィンガに割り当てられたオフセット量とは異なるように弱い方のフィンガに割り当てられたオフセット量を調整する。
【００２９】
かくして本発明の受信機は、より長い時間より多くのマルチパス成分を追跡するより多くの受信機フィンガを有する。本発明により受信機フィンガをより効率的に使用することにより受信機のマルチパスダイバシティを増加させ、受信機の平均ＳＮＲを改善する。
【００３０】
【発明の実施の形態】
本発明による多重フィンガ受信機用のフィンガ割り当てシステムの一実施例は、多重フィンガ／並列配置の復調器受信機用の受信機の性能を向上させるためのものである。本発明のフィンガ割り当てシステムは、受信機フィンガを同一のマルチパス成分に割り当てることを阻止することによりこれを行う。特定のアンテナに関し、この機能を実行するためには受信機は、いずれか２つの受信機フィンガに割り当てられた遅延量間の差を維持する。
【００３１】
受信機フィンガ１２ａ−ｄがこのオフセット量差を侵すと、本発明のフィンガ割り当てシステムはフィンガ１２ａ−ｄのそれらのそれぞれのマルチパス成分への割り当てを維持するが、より強いフィンガ１２ａ−ｄのオフセット量を所定のオフセット差だけ変えるために弱いフィンガ１２ａ−ｄに割り当てられたオフセット量を調整する。
【００３２】
かくして本発明による受信機系は、より長い時間より全信号パスあるいはマルチパス成分を追跡するより多くの数の受信機フィンガを有するようになる。本発明による受信機フィンガをより効率的に利用することにより、受信機のマルチパスダイバシティゲインを増加させ、受信機の平均ＳＮＲを改善する。特定の送信器パワーレベルに対し、受信機での平均ＳＮＲを増加させることによりシステムの容量がさらに大きくなる。
【００３３】
図１は、４本のフィンガ即ち復調器１２ａ−ｄを有するＲＥＫＥ受信機１０のブロック図である。本発明のフィンガ割り当てシステムをＲＡＫＥ受信機１０において用いることにより受信機フィンガ１２ａ−ｄを同一のマルチパス成分に割り当てることを阻止する。この実施例においては、ＲＡＫＥ受信機１０は同一のマルチパス成分の追跡を開始している復調器１２ａ−ｄがそれぞれのマルチパス成分にあるアンテナから信号を受信しているいずれか２つの受信機フィンガに割り当てられたＰＮオフセット量間のオフセット差を維持することにより割り当てる。
【００３４】
複数のアンテナを有する受信機においては、同一の遅延量（即ちオフセット量）が割り当てられるが別のアンテナに割り当てられるフィンガ間には相関関係がない。本明細書において復調器１２ａ−ｄは、１個のアンテナ１４に接続されるよう記述するが、アプリケーションによってはフィンガ１２ａ−ｄの別のアンテナへの割り当ても可能である。
【００３５】
本発明のフィンガ割り当てシステムは、追跡ループ２０ａ−ｄの一部および／または処理回路１８の一部として実現できる。さらにまた本発明のフィンガ割り当てシステムおよびその一部は、ハードウェアおよび／またはソフトウェアとしても実現できる。例えば、本発明のフィンガ割り当てシステムまたはその一部は、追跡ループ２０ａ−ｄ内のハードウェアとして、連続的なあるいは不連続なベース上で実行し動作可能であり、ＲＥＫＥ受信機の処理回路１８内のソフトウェアとして不連続に（例えば、１４ｍｓ毎に）実行および動作することが可能である。
【００３６】
図４は、本発明のフィンガ割り当てシステムの実施例が低遅延拡散マルチパス環境下でいかにフェージングに応答するかを表している。矢印１２ａで示されるフィンガ１２ａ（図１）は、第１マルチパス成分に対応するオフセット量に割り当てられている。矢印１２ｂで表されるフィンガ１２ｂ（図１）は、第２マルチパス成分に対応するオフセット量に割り当てられている。この第２マルチパス成分は、第１マルチパス成分とは距離ｄだけ離れたフェージングである。
【００３７】
まずこの実施例においては、フィンガ割り当てシステムは、同一のアンテナから入力を受信するいずれか２つのフィンガ１２（図１）のオフセット遅延量間の最低ＰＮオフセット差ｄmin を確立し、これら２本のフィンガ１２ａ，１２ｂは弱い相関状態にあるに過ぎない。このオフセット差は、最悪の場合フィンガ１２ａと１２ｂが、例えば３／４ＰＮチップのオフセット差を用いて弱い相関状態にある。かくして２本のフィンガ１２ａと１２ｂに割り当てられたオフセット量は、少なくともオフセット差ｄmin だけ離れていなければならない。
【００３８】
この実施例においては、フィンガ１２ｂの追跡ループ２０ｂ（図１）は、フィンガ１２ｂのタイミング遅延をフィンガ１２ａのより強いマルチパス成分の方向に調整し、最低オフセット差ｄmin を侵すことになる。この場合本発明では、二重のフィンガ１２ｂを単にディスエイブルし、別のマルチパス成分を探索し、フィンガ１２ｂを別のマルチパス成分に対応するオフセット量を割り当てる、あるいはフェージングから再発生した同一のマルチパスに再度割り当てる代わりに、本発明のフィンガ割り当てシステムは、より弱いフィンガ１２ｂに割り当てられたＰＮオフセット量を調整しより強いフィンガ１２ａのオフセット量とは少なくともオフセット差ｄmin だけ異ならせるようにしている。
【００３９】
この実施例においては、弱いフィンガ１２ｂの追跡ループ２０ｂは拘束される。その理由は、弱いフィンガ１２ｂはその割り当てられたマルチパス成分を近くのより強いマルチパス成分の方向に追跡する傾向があるからである。
【００４０】
さらにまたこの実施例においては、そのタイミングが拘束された／調整されたフィンガ１２ｂは、信号検知品質測定基準を達成できない場合には、依然としてディスエイブルされる。このような信号検出品質測定基準とは、フィンガ１２ｂのロック状態に基づいた測定基準（ロックしきい値とフィンガエネルギとを比較することにより決定される）あるいはフィンガ１２ｂのロック状態の一連の観測に基づいた測定基準である。
【００４１】
フィンガ１２ｂが信号品質測定基準を達成できずにディスエイブルされている場合には、フィンガ１２ｂはディスエイブルされ、そしてこのフィンガ１２ｂはより強い割り当てられてないマルチパス成分に対応するオフセット量に割り当てられる。しかしこのような場合、フィンガ１２ｂがディスエイブルされるのは、受信信号の受信量が弱いためであって二重のフィンガ割り当てのためではない。
【００４２】
追跡回路２０ｂは、フィンガ１２ｂのエネルギが所定のしきい値以上の場合にはイネーブルされ、フィンガ１２ｂのオフセット量は、フィンガエネルギがしきい値以下の場合には更新されない。フィンガ１２ｂがわずかなフェージングのみを単に経験する場合には、フィンガ１２ｂは許容可能な信号検出品質測定基準を有さなければならず、そしてフィンガ１２ｂは割り当てられたオフセット量でもって依然として有効に働き続ける。
【００４３】
フィンガ１２ｂのマルチパス成分がフェージングから発生すると追跡回路２０ｂはマルチパス成分の追跡を再開する。追跡回路２０ｂはこのマルチパス成分の追跡を継続することが許されるが、但しフィンガ１２ｂのオフセット量が本発明のフィンガ割り当てシステムにより制御されるように別のフィンガ１２ａ，１２ｃ，１２ｄに割り当てられたオフセット量に近づき過ぎないことを条件とする（近付きすぎたらやめる）。
【００４４】
図５は、本発明のフィンガ割り当てシステムの実施例のフローチャート図を示す。ブロック３０は、ｊとｋの全ての値を生成するようループを設定する。ここで、ｊ，ｋ＝１．．Ｎであり、Ｎはフィンガの数であり、ｊは全てのフィンガの間を比較することが可能なようにｊとｋとは等しくはない。ブロック３１は、フィンガｊとフィンガｋが同一のアンテナに割り当てられているかをチェックをする。
【００４５】
割り当てられていない場合には、このシステムはブロック３０に戻り、別の対のフィンガを検査する。割り当てられている場合には、ブロック３２でフィンガ割り当てシステムは、フィンガｊとフィンガｋとに割り当てられたオフセット量の間の差と最低オフセット量差ｄmin とを比較する。このｄmin はこの実施例においては、３／４ＰＮチップ即ち約０．６１ミリ秒である。
【００４６】
このオフセット差がｄmin 以上の場合には、フィンガｊとフィンガｋへのオフセット量の割り当てが許容可能であり、そしてシステムはブロック３０に戻り、フィンガｊとフィンガｋの別の対の間の比較を行う。この差がｄmin 未満の場合には、フィンガｊとフィンガｋのオフセット遅延量は互いに近付きすぎ、そしてシステムはブロック３４に進み、フィンガｊまたはフィンガｋのどちらかが瞬時に弱い信号成分を有するかを決定する。
【００４７】
フィンガｋが弱いマルチパス成分を有している場合には、この実施例のフィンガ割り当てシステムは、フィンガｋに対するオフセット量を調整する。フィンガｋに対するオフセット量を調整するために、本発明のシステムはブロック３６に進み、フィンガｊまたはフィンガｋのどちらかがより大きなオフセット量を有しているかを決定する。
【００４８】
フィンガｊのオフセット量がフィンガｋのオフセット量よりも大きい場合には、本発明のシステムは、ブロック３８でフィンガｋのオフセット遅延量をフィンガｊの（オフセット量−ｄmin ）として調整する。フィンガｋのオフセット量がフィンガｊのオフセット量以上の場合には、本発明のシステムは、ブロック４０でフィンガｋのオフセット量をフィンガｊの（オフセット量＋ｄmin ）として設定する。
【００４９】
ブロック３４において、フィンガｊが弱いマルチパス成分を有している場合には、この実施例のフィンガ割り当てシステムは、フィンガｊに対するオフセット量を調整する。フィンガｊに対するオフセット量を調整するために、本発明のシステムはブロック４２に進み、フィンガｊまたはフィンガｋのどちらかがより大きなオフセット量を有しているかを決定する。
【００５０】
フィンガｊのオフセット量がフィンガｋのオフセット量よりも大きい場合には、本発明のシステムは、ブロック４４でフィンガｊのオフセット遅延量をフィンガｋの（オフセット量＋ｄmin ）として調整する。フィンガｋのオフセット量がフィンガｊのオフセット量以上の場合には、本発明のシステムは、ブロック４６でフィンガｊのオフセット量をフィンガｋの（オフセット量−ｄmin ）として設定する。
【００５１】
フィンガ１２に割り当てられたオフセット量を本発明のフィンガ割り当てシステムで調整するには別の方法でも行うことができる。例えば、フィンガ間のオフセット量差が破られると、処理回路１８はオフセット量差に到達するまでフィンガ１２に割り当てられたオフセット量に、例えば１回に１／８ＰＮチップだけ増分しながら調整することができる。
【００５２】
この実施例においては、処理回路１８はソフトウェアで走る本発明のフィンガ割り当てシステムの一部を実行する汎用マイクロプロセッサである。この処理回路１８は、信号を用途特定集積回路（ＡＳＩＣ）（例えば、クエルコム社のＣＤＭＡセルサイトモデムＡＳＩＣ）に与え、このＡＳＩＣが、ＲＡＫＥ受信機１０の別の部分を実行し、そしてこれらの信号が一時に１／８ＰＮチップ増分することによりフィンガのオフセット量を調整する。
【００５３】
別法として、処理回路１８が本発明のフィンガ割り当てシステムの動作内により深く組み込まれているような別の実施例においては、処理回路１８は、フィンガ１２に割り当てられたオフセット量を調整されたオフセット量でもって置換することができる。さらに別の実施例においては、上記の処理回路１８の一部は、追跡回路２０ａ−ｄ（図１）内、あるいは復調器１２ａ−ｄ内ののハードウェアとしても実現でき、これによりオフセット差を調整するのではなく、オフセット差と保持されるべき現在のフィンガ割り当て（信号品質測定基準が満たされない限り）の条件でもってフィンガ割り当てシステムを拘束できる。
【００５４】
かくして本発明のフィンガ割り当てシステムは、二重のフィンガ割り当てを阻止し、より長い時間より多くのマルチパス成分上にロックされるフィンガを有するようになる。これにより多重フィンガ受信機のマルチパスダイバシティゲインを増加させ、受信機の平均ＳＮＲを改善する。本発明のフィンガ割り当てシステムの別の構成例は、上記のシステムのステップを削除したりあるいは別のステップを追加することおよび上記のシステムの変形例を実行することも可能である。
【００５５】
本発明のフィンガ割り当てシステムは、受信機フィンガに割り当てられたオフセット量間のバッファとしてオフセット量差を維持するために、フィンガ用の対応するオフセット量を調整する。さらに別の実施例によれば、オフセット量はＰＮチップオフセット量を例に説明したが、本発明は他のパラメータでオフセット量を表すこともできる。
【００５６】
【発明の効果】
上記のフィンガ割り当てシステムは、４フィンガＣＤＭＡＲＡＫＥ受信機を例に説明したが、いかなる数のフィンガ／復調器の受信機を用いて受信した複数のマルチパス成分用にオフセット量を割り当てることも可能である。さらにまた本発明のフィンガ割り当てシステムは、コヒーレント受信機あるいは非コヒーレント受信機でも実現することができ、また基地局あるいは移動局のいずれでも実施することができる。本発明のフィンガ割り当てシステムは、ＡＳＩＣを用いてあるいはソフトウェア駆動の処理回路および／または様々な個別の素子の組み合わせを用いても実現することができる。
【図面の簡単な説明】
【図１】本発明のフィンガ割り当てシステムを用いる４フィンガＣＤＭＡＲＡＫＥ受信機のブロック図
【図２】２個のマルチパス成分が関連する状況に対するフィンガ強度対ＰＮオフセット量との関係を表すグラフ
【図３】低遅延拡散マルチパス環境において二重フィンガ割り当てがいかに発生するかを表すフィンガ強度を変化させた場合とＰＮオフセット量の関係を表すグラフ
【図４】本発明によるフィンガ割り当てシステムが二重フィンガ割り当てをいかに回避するかを表すグラフ
【図５】本発明によるフィンガ割り当てシステムの一実施例を表すフローチャート図
【符号の説明】
１０  ＲＡＫＥ受信機
１２ａ−ｄ  復調器（フィンガ）
１４  アンテナ
１６  脱拡散機
１８  処理回路
１９  サーチャ回路
２０ａ−ｄ  追跡ループ
２２  コンバイナ
３０  ここで全ての（ｊ，ｋ）に対し
３１  フィンガ（ｊ，アンテナ）＝（ｋ，アンテナ）？
３２  ｜フィンガ（ｊ，オフセット量）−フィンガ（ｋ，オフセット量）｜ｄmi        n ？
３４  フィンガ（ｊ，エネルギ）＞フィンガ（ｋ，エネルギ）？
ＮＯ  フィンガｊを調整する  ＹＥＳ  フィンガｋを調整する
３６，４２  フィンガ（ｊ，オフセット量）＞フィンガ（ｋ，オフセット量）？
３８  フィンガ（ｋ，オフセット量）＝フィンガ（ｊ，オフセット量）−ｄmin
４０  フィンガ（ｋ，オフセット量）＝フィンガ（ｊ，オフセット量）＋ｄmin
４４  フィンガ（ｊ，オフセット量）＝フィンガ（ｋ，オフセット量）＋ｄmin
４６  フィンガ（ｊ，オフセット量）＝フィンガ（ｋ，オフセット量）−ｄmin
【図１】
0003676352.tif 000002
【図２】
0003676352.tif 000003
【図３】
0003676352.tif 000004
【図４】
0003676352.tif 000005
【図５】
0003676352.tif 000006